(57)【要約】【課題】構造が簡素で、かつ、加工が容易なブックカバーを提供する。【解決手段】本発明は、本の表紙５０の表側を覆うカバー本体２０の左右両端部に、本の表紙５０の左右両端部を差し込み状態に保持するための差し込みポケット３０を備えたブックカバー１０であって、差し込みポケット３０は、折り曲げ線Ｒ１で折り曲げられて表紙５０の裏側に宛われる裏当てフラップ３１と、裏当てフラップ３１を折り曲げつつ表紙５０とカバー本体２０との間に差し込まれる差し込みフラップ３４と、裏当てフラップ３１の上下両端縁において差し込みフラップよりもカバー本体側の部分を上下方向に切り込んで形成された差し込みスリット３３と、折り曲げ線Ｒ２で折り曲げられると左右方向外側部分が差し込みスリット３３に差し込まれる上下フラップ３２とを備えて構成されているところに特徴を有する。【選択図】図１
2010036568.tif 000002
【特許請求の範囲】
【請求項１】
本の表紙の表側を覆うカバー本体の左右両端部に、前記本の表紙の左右両端部を差し込み状態に保持するための差し込みポケットを備えたブックカバーであって、
前記差し込みポケットは、
前記カバー本体と同一幅で左右方向に延設され、前記カバー本体との境界で折り曲げられて前記表紙の裏側に宛われる裏当てフラップと、
前記裏当てフラップの上下両端縁における左右方向外側部分から上下方向に延設され、前記裏当てフラップを折り曲げつつ前記表紙と前記カバー本体との間に差し込まれる差し込みフラップと、
前記裏当てフラップの上下両端縁において前記差し込みフラップよりも前記カバー本体側の部分を上下方向に切り込んで形成された差し込みスリットと、
前記カバー本体から上下方向に延設され、前記カバー本体との境界で折り曲げられると左右方向外側部分が前記差し込みスリットに差し込まれる上下フラップとを備えて構成されていることを特徴とするブックカバー。
【請求項２】
前記カバー本体は、前記本の背表紙と対応する位置に透明な透明窓を備え、この透明窓の裏側に貼り付けられる不透明な窓隠し材は、再剥離可能とされていることを特徴とする請求項１に記載のブックカバー。
【請求項３】
前記カバー本体および前記差し込みポケットは、合成樹脂、紙、布、不織布などの素材、またはこれらの素材を組み合わせてなる複合素材を含んで構成されるシート材を抜き加工することにより形成されていることを特徴とする請求項１または請求項２に記載のブックカバー。
【請求項４】
前記カバー本体において前記本の裏表紙と対応する部分は、前記本の表表紙と対応する部分よりも左右方向に大きめに形成されていることを特徴とする請求項１ないし請求項３のいずれか一項に記載のブックカバー。
【請求項５】
前記差し込みスリットを構成する両側縁のうち前記本体カバー側の部分と前記裏当てフラップの上下両端縁との角部には、Ｒ加工が施されていることを特徴とする請求項１ないし請求項４のいずれか一項に記載のブックカバー。
【発明の詳細な説明】
【技術分野】
【０００１】
本発明は、容易に組み立て可能なブックカバーに関する。
【背景技術】
【０００２】
この種のブックカバーとして、例えば下記特許文献１に記載のブックカバーが知られている。このブックカバーは、本の表紙の表側を覆うカバー本体の左右両端部に、本の表紙の左右両端部を差し込むことができる差し込みポケットを備えている。この差し込みポケットは、カバー本体の外縁部に内面シートをウェルダー溶着することによって構成されている。
【特許文献１】特開２００５−２６２６９３号公報
【発明の開示】
【発明が解決しようとする課題】
【０００３】
しかしながら、特許文献１に記載のブックカバーは、溶着加工が必要となるため、ブックカバーの構造が複雑になり、ブックカバーの組み立てが面倒である。また、溶着加工に伴ってブックカバーのコストが高くなる。
本発明は上記のような事情に基づいて完成されたものであって、ブックカバーの構造を簡素化して組み立てを容易にし、もって安価なブックカバーを提供することを目的とする。
【課題を解決するための手段】
【０００４】
本発明は、本の表紙の表側を覆うカバー本体の左右両端部に、本の表紙の左右両端部を差し込み状態に保持するための差し込みポケットを備えたブックカバーであって、差し込みポケットは、カバー本体と同一幅で左右方向に延設され、カバー本体との境界で折り曲げられて表紙の裏側に宛われる裏当てフラップと、裏当てフラップの上下両端縁における左右方向外側部分から上下方向に延設され、裏当てフラップを折り曲げつつ表紙とカバー本体との間に差し込まれる差し込みフラップと、裏当てフラップの上下両端縁において差し込みフラップよりもカバー本体側の部分を上下方向に切り込んで形成された差し込みスリットと、カバー本体から上下方向に延設され、カバー本体との境界で折り曲げられると左右方向外側部分が差し込みスリットに差し込まれる上下フラップとを備えて構成されているところに特徴を有する。
【０００５】
このようなブックカバーによると、カバー本体の裏側に本の表紙を宛っておき、裏当てフラップを表紙の裏側に折り曲げつつ差し込みフラップを本の表紙とカバー本体との間に差し込み、上下フラップの左右方向外側部分を差し込みスリットに差し込みながら上下フラップを表紙の裏側に折り曲げることにより、差し込みポケットが完成する。このように、溶着加工や糊付けなどの加工を行うことなく、ブックカバーを組み立てることができるから組み立てが容易である。また、本の表紙の左右両端部を差し込みポケットに差し込んだ状態に保持できるから、本とブックカバーが上下にずれることがない。さらに、カバー本体を半透明もしくは不透明にしたら、読んでいる本の表紙を他人に見られないようにすることができる。したがって、複雑な加工を伴うことなくブックカバーを容易に組み立てることができ、安価なブックカバーを提供することができる。
【０００６】
本発明の実施の態様として、以下の構成が好ましい。
カバー本体は、本の背表紙と対応する位置に透明な透明窓を備え、この透明窓の裏側に貼り付けられる不透明な窓隠し材は、再剥離可能とされている構成としてもよい。
【０００７】
このような構成によると、例えば電車の中で本を読む場合には、透明窓の裏側に不透明な窓隠し材を貼り付けておくことができる。また、例えば自宅の本棚に本を収納する場合には、窓隠し材を外して透明窓から本の背表紙が見えるようにすることができる。また、窓隠し材を再剥離可能にしたから、繰り返し使用することができ、経済的にも大変優れている。
【０００８】
カバー本体および差し込みポケットは、合成樹脂、紙、布、不織布などの素材、またはこれらの素材を組み合わせてなる複合素材を含んで構成されるシート材を抜き加工することにより形成されている構成としてもよい。
上記の複合素材の具体例として以下のものが挙げられる。
・紙と合成樹脂をラミネート（ＰＰ貼り、パウチ、積層等）したラミネート材
・布や不織布と合成樹脂をラミネートしたラミネート材
・紙や布や不織布に合成樹脂を含浸させた樹脂含浸材
このような構成によると、例えばトムソン加工によって上記のシート材を抜き加工することにより、組み立て前におけるシート状のブックカバーを簡単に形成することができる。
【０００９】
カバー本体において本の裏表紙と対応する部分は、本の表表紙と対応する部分よりも左右方向に大きめに形成されている構成としてもよい。
このような構成によると、分厚い本にもブックカバーを取り付けることができる。つまり、カバー本体において本の裏表紙と対応する部分には、予め裏当てフラップの折り曲げ線を設けないようにし、本の厚みに応じて折り曲げ線を自由に設定することで、分厚い本にも対応できる。薄い本の場合も同様であって、本の厚みに応じて折り曲げ線を自由に設定することができる。
【００１０】
差し込みスリットを構成する両側縁のうち本体カバー側の部分と裏当てフラップの上下両端縁との角部には、Ｒ加工が施されている構成としてもよい。
このような構成によると、Ｒ加工が施されているため、角部を指でめくりやすくなる。このように差し込みスリットの角部をめくった状態にしておけば、上下フラップの左右方向外側部分を差し込みスリットに差し込みやすくなる。
【発明の効果】
【００１１】
本発明によれば、ブックカバーの構造を簡素化して組み立てを容易にし、もって安価なブックカバーを提供することができる。
【発明を実施するための最良の形態】
【００１２】
＜実施形態１＞
本発明の実施形態１を図１ないし図１１の図面を参照しながら説明する。図１は、本実施形態のブックカバー１０を展開状態で裏側（本の表紙と対面する側）から見た正面図である。ブックカバー１０は、本の表紙の表側を覆うカバー本体２０の左右両端部に、本の表紙の左右両端部を差し込み状態に保持する差し込みポケット３０を備えている。本の表紙は、表表紙と、背表紙と、裏表紙とを一体に備えた周知の構成である。本実施形態のブックカバー１０は、厚みのある透明フィルム素材（本発明の「シート材」の一例であって、本実施形態では０．２ｍｍ厚のポリプロピレンを採用している。）によって構成され、このフィルム素材をトムソン型で抜き加工することにより形成されている。
【００１３】
カバー本体２０の裏面には、透明な透明窓２１を除いて、不透明な印刷層２２が印刷されている。透明窓２１は上下方向に略長方形状となっており、本の背表紙と対応して配置されている。このため、例えば読み終わった本を自宅の本棚に収納する場合には、ブックカバー１０をつけた状態でも本の背表紙を確認することができる。なお、本実施形態のカバー本体２０は、透明なフィルム素材としているものの、半透明もしくは不透明なフィルム素材を用いてもよい。また、透明窓２１の窓形状は、略長方形状に限らず、どんな形状にしてもよい。
【００１４】
透明窓２１の裏側には、図２または図３に示すように、窓隠し材４０が貼り付け可能とされている。本実施形態の窓隠し材４０は透明窓２１よりも一回り大きめとされており、不透明な紙素材によって構成されている。なお、窓隠し材４０は、厚みのある不透明なフィルム素材によって構成してもよい。
【００１５】
窓隠し材４０の両面のうち透明窓２１の裏側に貼り付けられる接着面には、再剥離可能な粘着層が塗布されている。透明窓２１の裏側に窓隠し材４０が貼り付けられた状態では、外部から本の背表紙を確認することができない。したがって、例えば電車の中で読んでいる本の背表紙を他人に見られるおそれがないため、周りを気にすることなく安心して本を読むことができる。また、窓隠し材４０は、図４に示すように再剥離可能であり、繰り返し使用することができるため、大変経済的である。
【００１６】
カバー本体２０は、図１に示すように、透明窓２１より左側部分（本の裏表紙と対応する部分）２０Ｌが右側部分（本の表表紙と対応する部分）２０Ｒよりも左右方向に６ｍｍ程度大きめとされている。右側部分２０Ｒは、本の表表紙とほぼ同じ大きさに形成されている。一方、左側部分２０Ｌは、本の裏表紙に対して左右方向にやや大きめに形成されている。このように左側部分２０Ｌをやや大きめに形成している理由は、背表紙の左右寸法が本の種類によって異なっており、背表紙の左右寸法に応じて左側部分２０Ｌにおける折り曲げ線Ｒ１の位置を自由に設定可能にするためである。
【００１７】
続いて、差し込みポケット３０の構造について説明する。差し込みポケット３０は、図１に示すブックカバー１０の展開状態において、左右一対の裏当てフラップ３１、上下左右４箇所の上下フラップ３２、上下左右４箇所の差し込みスリット３３、上下左右４箇所の差し込みフラップ３４などを備えて構成されている。
【００１８】
裏当てフラップ３１は、カバー本体２０と同一幅で左右方向に延設されている。この裏当てフラップ３１は、カバー本体２０との境界を折り曲げ線Ｒ１として折り曲げ可能である。裏当てフラップ３１が折り曲げ線Ｒ１で折り曲げられると、本の表紙の左右両端部が裏当てフラップ３１とカバー本体２０との間に挟まれて本の表紙が左右方向外側へ移動することが規制される。
【００１９】
上下フラップ３２は、カバー本体２０の上下両端縁における左右方向外側部分から上下方向に延設されている。この上下フラップ３２は、カバー本体２０との境界を折り曲げ線Ｒ２として折り曲げ可能である。上下フラップ３２が折り曲げ線Ｒ２で折り曲げられると、本の表紙の上下両端部が上下フラップ３２とカバー本体２０との間に挟まれて本の表紙が上下方向両側へ移動することが規制される。
【００２０】
差し込みフラップ３４は、裏当てフラップ３１の上下両端縁における左右方向外側部分から上下方向に延設されている。この差し込みフラップ３４は、裏当てフラップ３１との境界を折り曲げ線Ｒ３として折り曲げ可能である。差し込みフラップ３４は、裏当てフラップ３１を折り曲げつつ表紙とカバー本体２０との間に差し込まれるように構成されている。
【００２１】
差し込みスリット３３は、裏当てフラップ３１の上下両端縁において差し込みフラップ３４よりもカバー本体２０側の部分を上下方向に切り込んで形成されている。差し込みスリット３３を構成する両側縁のうちカバー本体２０側の側縁と裏当てフラップ３１の上下両端縁との角部３５には、Ｒ加工が施されている。
【００２２】
なお、各折り曲げ線Ｒ１，Ｒ２，Ｒ３は、予め折りスジ加工が施されており、容易に折り曲げ加工ができるようになっている。
【００２３】
裏当てフラップ３１を折り曲げ線Ｒ１でカバー本体２０の裏側に折り曲げた後、上下フラップ３２を折り曲げ線Ｒ２でカバー本体２０の裏側に折り曲げると、裏当てフラップ３１とカバー本体２０が互いに重なりあう重合領域が形成される。そして、この重合領域に差し込みスリット３３が配置されるようになっている。これにより、上下フラップ３２の左右方向外側部分が差し込みスリット３３から裏当てフラップ３１の裏側に差し込まれる。なお、差し込みスリット３３の上下寸法は、上下フラップ３２の上下寸法とほぼ同じかこれよりやや大きめとされている。
【００２４】
本実施形態は以上のような構造であって、続いてブックカバー１０の組み立て方法について図５ないし図１１の図面を参照しながら説明する。なお、差し込みポケット３０の組み立てに先立って、透明窓２１を隠す場合には、前もって窓隠し材４０を透明窓２１の裏側に貼り付けておく。また、窓隠し材４０を外して使用したい場合には、差し込みポケット３０の組み立てに先立って、窓隠し材４０を透明窓２１から外しておけばよい。
【００２５】
まず、図５に示すように、本の表紙５０をカバー本体２０の裏側に宛う。次に、図６に示すように、差し込みフラップ３４を折り曲げ線Ｒ３で裏当てフラップ３１に対して略直角に折り曲げる。次に、図７に示すように、裏当てフラップ３１を折り曲げ線Ｒ１で表紙５０の裏側に折り曲げつつ、図８に示すように、差し込みフラップ３４をカバー本体２０と表紙５０との間に差し込んで、図９に示す状態にする。この状態では、差し込みフラップ３４がカバー本体２０と表紙５０との間に差し込まれているから、裏当てフラップ３１が表紙５０の裏側に宛われた状態に保持される。
【００２６】
なお、左側部分２０Ｌにおいて裏当てフラップ３１を表紙５０の裏側に折り曲げる際には、本の表紙５０の左端部に合わせて折り曲げ線Ｒ１の位置を設定し、その折り曲げ線Ｒ１で折り曲げる。このようにすると、本の厚み（背表紙の左右寸法）にかかわらず、カバー本体２０の左右寸法と表紙５０の左右寸法を同じにすることができる。
【００２７】
次に、図１０に示すように、角部３５を指でめくり上げながら、上下フラップ３２の左右方向外側部分を差し込みスリット３３から裏当てフラップ３１の裏側に差し込む。そして、角部３５を放すと、角部３５が元の状態に弾性復帰して、図１１に示すように、裏当てフラップ３１と上下フラップ３２が重なり合った状態に保持される。
【００２８】
この重なり合った状態では、上下フラップ３２が開こうとすると、差し込みスリット３３を介して裏当てフラップ３１が開こうとする。ここで、裏当てフラップ３１は上下一対の差し込みフラップ３４によって本の表紙５０に上下両側から抱きついた状態で組み付いているため、本の表紙５０を持ち上げる方向に作用する。しかし、本自体には自重が作用しているため、本の表紙５０が持ち上がることはなく、その結果差し込みフラップ３４を介して裏当てフラップ３１の開きが規制され、差し込みスリット３３を介して上下フラップ３２の開きが規制される。
【００２９】
このようにして、差し込みポケット３０が完成し、ブックカバー１０の組み立てが完了する。したがって、本の表紙５０の左右両端部は、差し込みポケット３０によって差し込み状態に保持される。
【００３０】
以上のように本実施形態では、裏当てフラップ３１を折り曲げつつ差し込みフラップ３４がカバー本体２０と表紙５０との間に差し込まれ、上下フラップ３２の左右方向外側部分が差し込みスリット３３に差し込まれることで差し込みポケット３０が構成されるから、溶着加工や糊付けなど複雑な加工を一切行うことなく簡単に差し込みポケット３０を形成することができ、もってブックカバー１０を容易に組み立てることができる。
【００３１】
また、ブックカバー１０は、シート状になっているため、全体の構成を簡素化することができる。また、シート状であるから、トムソン加工などによってブックカバー１０を抜き加工することができる。さらに、ブックカバー１０の素材として厚みのあるフィルム素材を採用したから、耐久性を高めることができ、本を確実に保護することができる。
【００３２】
また、カバー本体２０において本の裏表紙に対応する部分を表表紙に対応する部分よりも大きめに形成したから、分厚い本や薄い本に対応して左側部分２０Ｌの折り曲げ線Ｒ１の位置を自由に設定することができる。
【００３３】
さらに、カバー本体２０に透明窓２１を設け、この透明窓２１を覆う窓隠し材４０を貼り付け可能にしたから、背表紙のタイトルを他人に見られたくない場合には窓隠し材４０を使用することができ、自宅の本棚に収納して背表紙を確認できるようにしたい場合には窓隠し材４０を剥がすこともできる。また、窓隠し材４０に再剥離可能な粘着層を採用したから、窓隠し材４０を繰り返し使用することができる。
【００３４】
＜他の実施形態＞
本発明は上記記述及び図面によって説明した実施形態に限定されるものではなく、例えば次のような実施形態も本発明の技術的範囲に含まれる。
（１）本実施形態ではカバー本体２０に透明窓２１を設けて、この透明窓２１に窓隠し材４０を貼り付け可能にしているものの、本発明によると、窓隠し材４０を用いることなく、透明窓２１のないカバー本体２０と透明窓２１のあるカバー本体２０の２種類を用意してもよい。
【００３５】
（２）本実施形態では０．２ｍｍ厚のポリプロピレンフィルムを使用しているものの、本発明によると、他の合成樹脂、例えば、ポリエチレンフィルムやポリ塩化ビニルフィルムなどを使用してもよい。また、既述したように、紙と合成樹脂をラミネートしたラミネート材、布や不織布と合成樹脂をラミネートしたラミネート材、紙や布や不織布に合成樹脂を含浸させた樹脂含浸材などを使用してもよい。また、上下フラップ３２や差し込みフラップ３４など折り曲げ加工を施す部分や透明窓２１に対して部分的に上記のラミネート材を使用してもよい。
【００３６】
（３）本実施形態では左側部分２０Ｌにおける折り曲げ線Ｒ１の位置を本の厚みに合わせて自由に設定できるようにしているものの、本発明によると、複数の本の厚みに合わせて予め複数の折り曲げ線Ｒ１を設けてもよい。
【００３７】
（４）本実施形態では折りスジ加工を施すことにより折り曲げ線Ｒ１，Ｒ２，Ｒ３を形成しているものの、本発明によると、ハーフカット加工やミシン目加工などを施すことにより折り曲げ線Ｒ１，Ｒ２，Ｒ３を形成してもよい。
【００３８】
（５）本実施形態では差し込みスリット３３の角部３５にＲ加工を施しているものの、本発明によると、角部３５以外にも、上下フラップ３２の左右方向外側部分など差し込みポケット３０の組み立てに伴う部分にＲ加工を施してもよい。
【図面の簡単な説明】
【００３９】
【図１】本実施形態におけるブックカバーを裏側を見た正面図
【図２】図１のブックカバーの透明窓に窓隠し材を貼り付けた状態を示した正面図
【図３】図２の窓隠し材の貼り付け状態を手前側から見た側面図
【図４】図２の窓隠し材を透明窓から剥がす途中の状態を示した斜視図
【図５】本実施形態においてカバー本体の裏側に本の表紙を宛った状態を示した斜視図
【図６】本実施形態において差し込みフラップを裏当てフラップに対して略直角に折り曲げた状態を示した斜視図
【図７】本実施形態において裏当てフラップをカバー本体に対して略直角に折り曲げた状態を示した斜視図
【図８】本実施形態において差し込みフラップをカバー本体と表紙との間に差し込む途中の状態を示した斜視図
【図９】本実施形態において差し込みフラップをカバー本体と表紙との間に差し込んだ状態を示した斜視図
【図１０】本実施形態において角部をめくり上げて上下フラップの左右方向外側部分を裏当てフラップの裏側に差し込む途中の状態を示した斜視図
【図１１】本実施形態においてブックカバーの組み立てが完了し、本の表紙の左右両端部が差し込みポケットに差し込み状態に保持された様子を示した斜視図
【符号の説明】
【００４０】
１０…ブックカバー
２０…カバー本体
２０Ｌ…左側部分（本の裏表紙と対応する部分）
２０Ｒ…右側部分（本の表表紙と対応する部分）
２１…透明窓
３０…差し込みポケット
３１…裏当てフラップ
３２…上下フラップ
３３…差し込みスリット
３４…差し込みフラップ
３５…角部
４０…窓隠し材
５０…表紙
【図１】
2010036568.tif 000003
【図２】
2010036568.tif 000004
【図３】
2010036568.tif 000005
【図４】
2010036568.tif 000006
【図５】
2010036568.tif 000007
【図６】
2010036568.tif 000008
【図７】
2010036568.tif 000009
【図８】
2010036568.tif 000010
【図９】
2010036568.tif 000011
【図１０】
2010036568.tif 000012
【図１１】
2010036568.tif 000013